(57)【要約】  【課題】  不良品の発生数を低減することができるとともに、品質上の信頼性を高めることができ、かつひけの発生を抑制することができるインサート成形品を得ることを目的とする。  【解決手段】  本発明は、インサート成形によって湾曲状のワイヤ２を第１プラスチック材３及び第２プラスチック材４で被覆してなるヘッドフォン用耳掛部品１に於いて、ワイヤ２の両端部は、ワイヤ中間部からワイヤ先端部に向かって漸次小さくなるテーパ２ａで形成されている構成としたヘッドフォン用耳掛部品１を提供する。【選択図】  図１
2006013702.tif 000002
【特許請求の範囲】
【請求項１】
インサート成形によって湾曲状のワイヤをプラスチック材で被覆してなるインサート成形品に於いて、
前記ワイヤの両端部は、ワイヤ中間部からワイヤ先端部に向かって漸次小さくなるテーパで形成されていることを特徴とするインサート成形品。
【請求項２】
予め湾曲状に形成されたワイヤをインサート成形によってプラスチック材で被覆してなるインサート成形品の製造方法に於いて、
インサート成形を実施する前に、前記ワイヤの両端部をワイヤ中間部からワイヤ先端部に向かって漸次小さくなるテーパで形成することを特徴とするインサート成形品の製造方法。
【請求項３】
インサート成形によって湾曲状のワイヤをプラスチック材で被覆してなるヘッドフォン用耳掛部品に於いて、
前記ワイヤの両端部は、ワイヤ中間部からワイヤ先端部に向かって漸次小さくなるテーパで形成されていることを特徴とするヘッドフォン用耳掛部品。
【請求項４】
予め湾曲状に形成されたワイヤをインサート成形によってプラスチック材で被覆してなるヘッドフォン用耳掛部品の製造方法に於いて、
インサート成形を実施する前に、前記ワイヤの両端部をワイヤ中間部からワイヤ先端部に向かって漸次小さくなるテーパで形成することを特徴とするヘッドフォン用耳掛部品の製造方法。
【発明の詳細な説明】
【技術分野】
【０００１】
本発明は、インサート成形品及びその製造方法並びにヘッドフォン用耳掛部品及びその製造方法に関する。
【背景技術】
【０００２】
例えば、ヘッドフォン用耳掛部品は、受話器（ヘッドフォン）を保持するためのホルダ部を有し、全体が湾曲部材によって形成されている。
【０００３】
従来、この種のヘッドフォン用耳掛部品には、外形が湾曲状に形成された断面円形状のワイヤをプラスチック材で被覆してなるものが知られている。
このようなヘッドフォン用耳掛部品の製造は、インサート成形技術を用い、断面円形状の湾曲ワイヤの各端部を硬質の第１プラスチック材で被覆した後、この第１プラスチック材の一部及び湾曲ワイヤの中間部を軟質の第２プラスチック材で被覆することにより実施される。この場合、湾曲ワイヤの各端部を第１プラスチック材で被覆するにあたり、成形用型内に配置された湾曲ワイヤの各端部（ワイヤ中間部寄りの部位）を保持し、これら各保持部近傍にあるゲートから溶融樹脂（第１プラスチック材）が成形用型内に注入される。
【発明の開示】
【発明が解決しようとする課題】
【０００４】
ところで、従来のヘッドフォン用耳掛部品においては、ワイヤの各端部が湾曲した状態で配置された成形用型内に溶融樹脂（第１プラスチック材）を注入して製造されるものであるため、溶融樹脂の注入時（インサート成形時）に図４に示すようにその注入（充填）圧を受けたワイヤ４０の各端部（ワイヤ先端部）が曲げ変形して成形用型４１内で偏倚する。この場合、ワイヤ４０の各端部の曲げ変形量（偏倚量）はワイヤ４０の各端部の保持位置ａによって変化する。すなわち、ワイヤ４０の各端部の曲げ変形（撓み）量は、ワイヤ４０の保持位置ａとワイヤ先端位置ｂとの間の距離Ｌが大きい程大きい。この結果、ワイヤ４０の各端部の曲げ変形量は、ワイヤ４０の各端部の第１プラスチック材４２による被覆長が比較的大きい寸法に設定されると、ワイヤ４０の保持位置ａとワイヤ先端位置ｂとの間の距離Ｌが大きくなり、これに伴いワイヤ４０の各端部の成形用型４１内での曲げ変形量が大きくなり、ワイヤ４０の各端部において第１プラスチック材４２で十分に被覆されない部分が発生して外部に露呈し、不良品になるという課題があった。
【０００５】
また、ワイヤ４０の各端部において第１プラスチック材４２による被覆が不十分であると、ワイヤ４０の各端部のワイヤ中間部寄り（溶融樹脂の合流部位）に形成される第１プラスチック材４２のウエルドラインが視認され易くなり、品質上の信頼性が低下するという課題もあった。
【０００６】
そこで、ワイヤ長（ワイヤ４０の各端部の第１プラスチック材４２による被覆長）を短縮して（ワイヤ４０の保持位置ａとワイヤ先端位置ｂとの間の距離Ｌを小さくして）インサート成形時におけるワイヤ４０の各端部の曲げ変形量を小さくすることが考えられるが、この場合にはワイヤ４０の各端部の第１プラスチック材４２による被覆量が十分に確保されないため、ワイヤ先端部（切れ目）付近においてインサート成形後のプラスチック収縮量が大きくなり、ひけが発生するという課題があった。
【０００７】
本発明は、このような事情に鑑みてなされたもので、不良品の発生数を低減することが
できるとともに、品質上の信頼性を高めることができ、かつひけの発生を抑制することができるインサート成形品及びその製造方法並びにヘッドフォン用耳掛部品及びその製造方法を提供することを目的とする。
【課題を解決するための手段】
【０００８】
上記目的を達成するために、請求項１記載の発明は、インサート成形によって湾曲状のワイヤをプラスチック材で被覆してなるインサート成形品に於いて、前記ワイヤの両端部は、ワイヤ中間部からワイヤ先端部に向かって漸次小さくなるテーパで形成されていることを特徴とするインサート成形品を提供する。
【０００９】
この構成によれば、インサート成形時に溶融樹脂の注入圧を受けたワイヤの各端部が曲げ変形して成形用型内で偏倚しても、ワイヤの各端部においてプラスチック材の肉厚が十分に確保されるため、ワイヤの各端部がプラスチック材で確実に被覆されて外部に露呈することはない。
【００１０】
また、ワイヤの各端部においてプラスチック材による被覆が十分であるため、ワイヤ両端部のワイヤ中間部寄りに形成されるプラスチック材のウエルドラインが視認され難くなる。
【００１１】
さらに、ワイヤ長を短縮してワイヤ端部の曲げ変形量を小さくする必要がないため、ワイヤの各端部のプラスチック材による被覆量が確保され、ワイヤ先端部においてインサート成形後のプラスチック収縮量が小さくなる。
【００１２】
請求項２記載の発明は、予め湾曲状に形成されたワイヤをインサート成形によってプラスチック材で被覆してなるインサート成形品の製造方法に於いて、インサート成形を実施する前に、前記ワイヤの両端部をワイヤ中間部からワイヤ先端部に向かって漸次小さくなるテーパで形成することを特徴とするインサート成形品の製造方法を提供する。
【００１３】
この方法によれば、インサート成形時に溶融樹脂の注入圧を受けたワイヤの各端部が曲げ変形して成形用型内で偏倚しても、ワイヤの各端部においてプラスチック材の肉厚が十分に確保されるため、ワイヤの各端部がプラスチック材で確実に被覆されて外部に露呈することはない。
【００１４】
また、ワイヤの各端部においてプラスチック材による被覆が十分であるため、ワイヤ両端部のワイヤ中間部寄りに形成されるプラスチック材のウエルドラインが視認され難くなる。
【００１５】
さらに、ワイヤ長を短縮してワイヤ端部の曲げ変形量を小さくする必要がないため、ワイヤの各端部のプラスチック材による被覆量が確保され、ワイヤ先端部においてインサート成形後のプラスチック収縮量が小さくなる。
【００１６】
請求項３記載の発明は、インサート成形によって湾曲状のワイヤをプラスチック材で被覆してなるヘッドフォン用耳掛部品に於いて、前記ワイヤの両端部は、ワイヤ中間部からワイヤ先端部に向かって漸次小さくなるテーパで形成されていることを特徴とするヘッドフォン用耳掛部品を提供する。
【００１７】
この構成によれば、インサート成形時に溶融樹脂の注入圧を受けたワイヤの各端部が曲げ変形して成形用型内で偏倚しても、ワイヤの各端部においてプラスチック材の肉厚が十分に確保されるため、ワイヤの各端部がプラスチック材で確実に被覆されて外部に露呈することはない。
【００１８】
また、ワイヤの各端部においてプラスチック材による被覆が十分であるため、ワイヤ両端部のワイヤ中間部寄りに形成されるプラスチック材のウエルドラインが視認され難くなる。
【００１９】
さらに、ワイヤ長を短縮してワイヤ端部の曲げ変形量を小さくする必要がないため、ワイヤの各端部のプラスチック材による被覆量が確保され、ワイヤ先端部においてインサート成形後のプラスチック収縮量が小さくなる。
【００２０】
請求項4記載の発明は、予め湾曲状に形成されたワイヤをインサート成形によってプラスチック材で被覆してなるヘッドフォン用耳掛部品の製造方法に於いて、インサート成形を実施する前に、前記ワイヤの両端部をワイヤ中間部からワイヤ先端部に向かって漸次小さくなるテーパで形成することを特徴とするヘッドフォン用耳掛部品の製造方法を提供する。
【００２１】
この方法によれば、インサート成形時に溶融樹脂の注入圧を受けたワイヤの各端部が曲げ変形して成形用型内で偏倚しても、ワイヤの各端部においてプラスチック材の肉厚が十分に確保されるため、ワイヤの各端部がプラスチック材で確実に被覆されて外部に露呈することはない。
【００２２】
また、ワイヤの各端部においてプラスチック材による被覆が十分であるため、ワイヤ両端部のワイヤ中間部寄りに形成されるプラスチック材のウエルドラインが視認され難くなる。
【００２３】
さらに、ワイヤ長を短縮してワイヤ端部の曲げ変形量を小さくする必要がないため、ワイヤの各端部のプラスチック材による被覆量が確保され、ワイヤ先端部においてインサート成形後のプラスチック収縮量が小さくなる。
【発明の効果】
【００２４】
請求項１記載の発明は、インサート成形時に溶融樹脂の注入圧を受けたワイヤの各端部が曲げ変形して成形用型内で偏倚しても、ワイヤの各端部においてプラスチック材の肉厚が十分に確保されるため、ワイヤの各端部がプラスチック材で確実に被覆されて外部に露呈することはなく、不良品の発生数を低減することができる。
また、請求項1記載の発明は、ワイヤの各端部においてプラスチック材による被覆が十分であるため、ワイヤ両端部のワイヤ中間部寄りに形成されるプラスチック材のウエルドラインが視認され難くなり、品質上の信頼性を高めることができる。
【００２５】
さらに、請求項１記載の発明は、ワイヤ長を短縮してワイヤ端部の曲げ変形量を小さくする必要がないため、ワイヤの各端部のプラスチック材による被覆量が確保され、ワイヤ先端部においてインサート成形後のプラスチック収縮量が小さくなってひけの発生を抑制することができる。
【００２６】
請求項２記載の発明は、インサート成形時に溶融樹脂の注入圧を受けたワイヤの各端部が曲げ変形して成形用型内で偏倚しても、ワイヤの各端部においてプラスチック材の肉厚が十分に確保されるため、ワイヤの各端部がプラスチック材で確実に被覆されて外部に露呈することはなく、不良品の発生数を低減することができるインサート成形品が得られる。
【００２７】
また、請求項２記載の発明は、ワイヤの各端部においてプラスチック材による被覆が十分であるため、ワイヤ両端部のワイヤ中間部寄りに形成されるプラスチック材のウエルド
ラインが視認され難くなり、品質上の信頼性を高めることができるインサート成形品が得られる。
【００２８】
さらに、請求項２記載の発明は、ワイヤ長を短縮してワイヤ端部の曲げ変形量を小さくする必要がないため、ワイヤの各端部のプラスチック材による被覆量が確保され、ワイヤ先端部においてインサート成形後のプラスチック収縮量が小さくなってひけの発生を抑制することができるインサート成形品が得られる。
【００２９】
請求項３記載の発明は、インサート成形時に溶融樹脂の注入圧を受けたワイヤの各端部が曲げ変形して成形用型内で偏倚しても、ワイヤの各端部においてプラスチック材の肉厚が十分に確保されるため、ワイヤの各端部がプラスチック材で確実に被覆されて外部に露呈することはなく、不良品の発生数を低減することができる。
【００３０】
また、請求項３記載の発明は、ワイヤの各端部においてプラスチック材による被覆が十分であるため、ワイヤ両端部のワイヤ中間部寄りに形成されるプラスチック材のウエルドラインが視認され難くなり、品質上の信頼性を高めることができる。
【００３１】
さらに、請求項３記載の発明は、ワイヤ長を短縮してワイヤ端部の曲げ変形量を小さくする必要がないため、ワイヤの各端部のプラスチック材による被覆量が確保され、ワイヤ先端部においてインサート成形後のプラスチック収縮量が小さくなってひけの発生を抑制することができる。
【００３２】
請求項４記載の発明は、インサート成形時に溶融樹脂の注入圧を受けたワイヤの各端部が曲げ変形して成形用型内で偏倚しても、ワイヤの各端部においてプラスチック材の肉厚が十分に確保されるため、ワイヤの各端部がプラスチック材で確実に被覆されて外部に露呈することはなく、不良品の発生数を低減することができるヘッドフォン用耳掛部品が得られる。
【００３３】
また、請求項４記載の発明は、ワイヤの各端部においてプラスチック材による被覆が十分であるため、ワイヤ両端部のワイヤ中間部寄りに形成されるプラスチック材のウエルドラインが視認され難くなり、品質上の信頼性を高めることができるヘッドフォン用耳掛部品が得られる。
【００３４】
さらに、請求項４記載の発明は、ワイヤ長を短縮してワイヤ端部の曲げ変形量を小さくする必要がないため、ワイヤの各端部のプラスチック材による被覆量が確保され、ワイヤ先端部においてインサート成形後のプラスチック収縮量が小さくなってひけの発生を抑制することができるヘッドフォン用耳掛部品が得られる。
【発明を実施するための最良の形態】
【００３５】
本発明は、インサート成形によって湾曲状のワイヤをプラスチック材で被覆してなるヘッドフォン用耳掛部品であって、前記ワイヤの両端部は、ワイヤ中間部からワイヤ先端部に向かって漸次小さくなるテーパで形成されている構成としたことにより、不良品の発生数を低減できるとともに、かつ品質上の信頼性を高め、かつひけの発生を抑制できることを実現した。
【００３６】
以下、本発明におけるインサート成形品及びその製造方法につき、図に示す実施の形態に基づいて説明する。先ず、本実施形態のインサート成形品につき、図1を用いて説明する。図１は、本発明の実施形態に係るインサート成形品の全体を示す斜視図である。
【００３７】
図１において、符号１で示すインサート成形品としてのヘッドフォン用耳掛部品は、イ
ンサート成形によって整形用のワイヤ２を第１プラスチック材３及び第２プラスチック材４で被覆してなり、全体が湾曲部材によって形成されている。ヘッドフォン用耳掛部品１の一方端部には、ヘッドフォン５を嵌合保持するための鉤形状のホルダ部１ａが配設されている。ホルダ部１ａには、使用者の耳部にヘッドフォン用耳掛部品１を保持するための耳掛部１ｂが連設されている。
【００３８】
ワイヤ２は、アルミニウム等の金属部材を湾曲して形成されている。ワイヤ２の両端部は、外径がワイヤ中間部からワイヤ先端部に向かって漸次小さくなる寸法に設定された断面円形状のテーパ２ａで形成されている。
【００３９】
第１プラスチック材３は、ワイヤ２の両端部を被覆してなり、全体がＰＰ（ポリプロピレン）樹脂等の硬質プラスチックによって形成されている。
第２プラスチック材４は、第１プラスチック材３の一部及びワイヤ中間部を被覆してなり、全体がエラストマー樹脂等の軟質プラスチックによって形成されている。
【００４０】
次に、本実施形態におけるインサート成形品（ヘッドフォン用耳掛部品）の製造方法につき、図２を用いて説明する。図２は、本発明の実施形態に係るインサート成形品の製造方法を説明するために示す斜視図である。図２（ａ）は、外形が湾曲状に形成されたワイヤを示す斜視図である。図２（ｂ）は、図２（ａ）におけるワイヤの両端部が第１プラスチック材で被覆された状態を示す斜視図である。図２（ｃ）は、図２（ｂ）の成形品が第２プラスチック材で被覆された状態を示す斜視図である。
【００４１】
本実施形態のヘッドフォン用耳掛部品１の製造方法は、「ワイヤの形成」及び「ワイヤの被覆」の各工程が順次実施されるため、これら各工程を順次説明する。
【００４２】
「ワイヤの形成」
図２（ａ）に示すように、予め所定長に切断された断面円形状のワイヤ２の両端部をワイヤ中間部からワイヤ先端部に向かって漸次小さくなるテーパ２ａで形成した後、このワイヤ２の外形を湾曲状に形成する。この場合、テーパ２ａの形成は、ワイヤ２の外形を湾曲状に形成した後に実施してもよい。
【００４３】
「ワイヤの被覆」
先ず、第１成形用型内にテーパ付きワイヤ２の両端部を保持して溶融樹脂（第１プラスチック材３）を注入し、図２（ｂ）に示すようにテーパ付きワイヤ２の両端部を第１プラスチック材３で被覆する。
【００４４】
次に、第２成形用型内に図２（ｂ）に示すインサート成形品の中間体を保持して溶融樹脂（第２プラスチック材４）を注入し、図２（ｃ）に示すように第１プラスチック材３の一部及びワイヤ中間部を第２プラスチック材４で被覆する。
このようにして、ヘッドフォン用耳掛部品１を製造することができる。
【００４５】
すなわち、本実施形態のヘッドフォン用耳掛部品１の製造方法は、予め湾曲状に形成されたワイヤ２をインサート成形によって第１プラスチック材３及び第２プラスチック材４で被覆してなるヘッドフォン用耳掛部品１の製造方法であって、インサート成形を実施する前に、ワイヤ２の両端部をワイヤ中間部からワイヤ先端部に向かって漸次小さくなるテーパ２ａで形成することにより実施される。
【００４６】
したがって、本実施形態においては、図３に示すようにインサート成形時に溶融樹脂の注入圧を受けたワイヤ２の各端部が曲げ変形して成形用型Ｃ内で偏倚しても、ワイヤ２の各端部においてプラスチック材（第１プラスチック材３）の肉厚が十分に確保されるため
、ワイヤ２の各端部が第１プラスチック材３で確実に被覆されて外部に露呈することはなく、不良品の発生数を低減することができる。
【００４７】
また、本実施形態においては、ワイヤ２の各端部において第１プラスチック材３による被覆が十分であるため、ワイヤ両端部のワイヤ中間部寄りに形成される第１プラスチック材３のウエルドラインが視認され難くなり、品質上の信頼性を高めることができる。
【００４８】
さらに、本実施形態においては、ワイヤ長を短縮してワイヤ端部の曲げ変形量を小さくする必要がないため、ワイヤ２の各端部の第１プラスチック材３による被覆量が確保され、ワイヤ先端部においてインサート成形後のプラスチック収縮量が小さくなってひけの発生を抑制することができる。
【００４９】
なお、本実施形態においては、ワイヤ２の各端部が截頭円錐形状のテーパ２ａである場合について説明したが、本発明はこれに限定されず、円錐形状のテーパであってもよく、この他截頭角錐・角錐形状のテーパであっても何等差し支えない。すなわち、ワイヤの両端部がワイヤ中間部からワイヤ先端部に向かって漸次小さくなるテーパで形成されていればよい。
【００５０】
また、本実施形態においては、インサート成形品としてヘッドフォン用耳掛部品である場合について説明したが、本発明はこれに限定されず、例えばイヤフォン用耳掛部品等の受信器用耳掛部品であってもよく、受信器用耳掛部品以外のインサート成形品であっても勿論よい。
【００５１】
すなわち要するに、本発明は、インサート成形によって湾曲状のワイヤをプラスチック材で被覆してなるインサート成形品であって、ワイヤの両端部がワイヤ中間部からワイヤ先端部に向かって漸次小さくなるテーパで形成されているものであればよい。また、その製造方法は、予め湾曲状に形成されたワイヤをインサート成形によってプラスチック材で被覆してなるインサート成形品の製造方法であって、インサート成形を実施する前に、ワイヤの両端部をワイヤ中間部からワイヤ先端部に向かって漸次小さくなるテーパで形成することにより実施される。
【００５２】
このようなインサート成形品の構成及びその製造方法によれば、上記ヘッドフォン（受信器）用耳掛部品の構成及びその製造方法による場合に得られた効果と同様の効果を得ることができる。
【図面の簡単な説明】
【００５３】
【図１】本発明の実施形態に係るインサート成形品の全体を示す斜視図。
【図２】本発明の実施形態に係るインサート成形品の製造方法を説明するために示す斜視図。
【図３】本発明の実施形態に係るインサート成形品のワイヤの端部をプラスチック材で被覆した状態を示す断面図。
【図４】従来におけるインサート成形品のワイヤの端部をプラスチック材で被覆した状態を示す断面図。
【符号の説明】
【００５４】
１          ヘッドフォン用耳掛部品
１ａ        ホルダ部
１ｂ        耳掛部
２          ワイヤ
２ａ        テーパ
３          第１プラスチック材
４          第２プラスチック材
５          ヘッドフォン
Ｃ          成形用型
【図１】
2006013702.tif 000003
【図２】
2006013702.tif 000004
【図３】
2006013702.tif 000005
【図４】
2006013702.tif 000006